(57)【要約】  複数の電源ユニット、複数のバッテリユニット、及び、１つの情報統合管理ユニットで無停電電源装置を構成する。情報統合管理ユニットは、パソコン(管理端末)に接続され、パソコン(管理端末)からの各種設定により電源ユニット及びバッテリユニットの制御を行う。パソコン(管理端末)は、情報統合管理ユニットを制御してパワーアシストする時間帯及び電力値を設定する。情報統合管理ユニットが、バッテリユニットを停電待機系・停電予備系で構成するように設定されていた場合、商用電源の停電発生時、停電待機系のバッテリを使用して外部機器に対する必要な電力バックアップ時間(例．180秒)を確保することができる。こうすることで外部機器にバッテリ電力を供給する無停電電源装置において、充電されたバッテリの電力を十分に活用することができる。
2016189976.tif 000002
【特許請求の範囲】
【請求項１】
稼働系又は待機系のいずれかに属する複数の電源ユニット、停電待機系又は停電予備系のいずれかに属する複数のバッテリユニット、および、前記電源ユニット及び前記バッテリユニットを管理する情報統合管理ユニットから成る無停電電源装置であって、
前記情報統合管理ユニットに対し、前記複数の電源ユニットのいずれを稼働系又は待機系に属するかを指示するとともに前記複数のバッテリユニットのいずれを停電待機系又は停電予備系に属するかを指示する、外部接続された管理端末を備え、
前記情報統合管理ユニットは、前記管理端末から指示された内容に基づいて前記複数の電源ユニットを前記稼働系又は待機系のいずれかに設定するとともに前記複数のバッテリユニットを停電待機系又は停電予備系のいずれかに設定し管理することを特徴とする無停電電源装置。
【請求項２】
請求項１記載の無停電電源装置において、
前記情報統合管理ユニットは、前記管理端末から指示された内容に基づいて前記無停電電源装置に接続された外部機器をパワーアシストする時間帯及び電力を設定し、設定された時間帯の開始時に前記外部機器に対しパワーアシストと電力の供給を開始し、設定された時間帯の終了時に前記外部機器に対する前記パワーアシストと前記電力の供給を停止することを特徴とする無停電電源装置。
【請求項３】
請求項１記載の無停電電源装置において、
前記情報統合管理ユニットは、前記管理端末から指示された内容に基づいて前記バッテリユニットを停電待機系又は停電予備系に設定し、停電発生時に、前記停電待機系のバッテリユニットのバッテリを使用して前記外部機器に対する必要な電力のバックアップ時間を確保することを特徴とする無停電電源装置。
【請求項４】
請求項３記載の無停電電源装置において、
前記情報統合管理ユニットは、前記停電発生時に、設定された前記停電予備系バッテリユニットのバッテリから前記外部機器に対しバックアップ電力を供給することを特徴とする無停電電源装置。
【請求項５】
請求項１記載の無停電電源装置において、
前記情報統合管理ユニットは、前記バッテリユニットそれぞれのバックアップ時間をジャーナルとして保存し、
前記管理端末によって指示された内容が前記停電予備系バッテリユニットのみでパワーアシストする指示であった場合に、前記情報統合管理ユニットは、前記ジャーナルに保存された前記バッテリユニットそれぞれのバックアップ時間を参照して、前記バックアップ時間が最小で且つユニット番号が最若番のバッテリユニットを前記停電予備系バッテリユニットとして選択し、選択したバッテリユニットのバッテリに使用してパワーアシストすることを特徴とする無停電電源装置。
【請求項６】
稼働系又は待機系のいずれかに属する複数の電源ユニット、停電待機系又は停電予備系のいずれかに属する複数のバッテリユニット、および、前記電源ユニット及び前記バッテリユニットを管理する情報統合管理ユニットから成る無停電電源装置の制御方法において、
外部接続された管理端末が、前記情報統合管理ユニットに対し、前記複数の電源ユニットのいずれを稼働系又は待機系に属するかを指示するとともに前記複数のバッテリユニットのいずれを停電待機系又は停電予備系に属するかを指示する過程、
前記管理端末から指示された内容に基づいて前記複数の電源ユニットを前記稼働系又は待機系のいずれかに設定し管理する過程、および、
前記管理端末から指示された内容に基づいて前記複数のバッテリユニットを停電待機系又は停電予備系のいずれかに設定し管理する過程、
を含んでなる無停電電源装置の制御方法。
【請求項７】
請求項６記載の無停電電源装置の制御方法において、
前記管理端末から指示された内容に基づいて外部接続された外部機器をパワーアシストする時間帯及び電力を設定し、設定された時間帯の開始時に前記外部機器に対しパワーアシストと電力の供給を開始し、設定された時間帯の終了時に前記外部機器に対する前記パワーアシストと前記電力の供給を停止する過程を含む、
ことを特徴とする無停電電源装置の制御方法。
【請求項８】
請求項６記載の無停電電源装置の制御方法において、
前記管理端末から指示された内容に基づいて前記バッテリユニットを停電待機系又は停電予備系に設定し、停電発生時に、前記停電待機系のバッテリユニットのバッテリを使用して前記外部機器に対する必要な電力のバックアップ時間を確保する過程を含む、
ことを特徴とする無停電電源装置の制御方法。
【請求項９】
請求項８記載の無停電電源装置の制御方法において、
前記停電発生時に、設定された前記停電予備系バッテリユニットのバッテリから前記外部機器に対しバックアップ電力を供給する過程を含む、
ことを特徴とする無停電電源装置の制御方法。
【請求項１０】
請求項６記載の無停電電源装置の制御方法において、
前記情報統合管理ユニットが、前記バッテリユニットそれぞれのバックアップ時間をジャーナルとして保存する過程を含み、
前記管理端末によって指示された内容が前記停電予備系バッテリユニットのみでパワーアシストする指示であった場合に、前記ジャーナルに保存された前記バッテリユニットそれぞれのバックアップ時間を参照して、前記バックアップ時間が最小で且つユニット番号が最若番のバッテリユニットを前記停電予備系バッテリユニットとして選択し、選択したバッテリユニットのバッテリに使用してパワーアシストする過程を含む、
ことを特徴とする無停電電源装置の制御方法。
【発明の詳細な説明】
【技術分野】
【０００１】
本発明は、商用電源の異常時に内蔵のバッテリから外部機器へ電力を供給する無停電電源装置に関し、特に、内蔵バッテリの寿命を延ばすことができる無停電電源装置および該装置の制御方法に関する。
【背景技術】
【０００２】
通常、無停電電源装置（UPS：Uninterruptible Power Supply）は、商用電源と外部機器（例．サーバやパソコン等の電気機器）との間に接続されて使用される。【０００３】
無停電電源装置は、商用電源が正常のときは商用電源の電力を外部機器へ出力するともに、商用電源から得られる電力で内蔵するバッテリを充電する。【０００４】
無停電電源装置は、商用電源側に停電などが発生して、商用電源から電力を供給できなくなると、内蔵するバッテリに蓄えられた電力を外部機器に供給する。【０００５】
また無停電電源装置は、上記のような停電対策を実施する以外に、電力のピークカット及びピークシフト対策を実施するときにも使用される。【０００６】
下記特許文献１に示す無停電電源装置においては、複数の無停電電源装置を同じ電力線で接続し、バッテリ容量が十分残っている無停電電源装置からバッテリ容量が少ない他の無停電電源装置へ、電力線を通じてバッテリの電力を供給することが記載されている。【０００７】
図１は、特許文献１に開示されている従来の無停電電源装置の構成を示す図である。図１において、UPS(無停電電源装置)2-1,・・・,2-nは、ＡＣ電源が正常の場合に、ＡＣ電源からの電力を対応するＰＣ（Personal Computer）11へ供給すると共にＡＣ電源からの電力を内部バッテリに充電し、ＡＣ電源が異常（停電等）の場合に、このバッテリに蓄えられている電力を対応するＰＣ11へ供給する構成となっている。また、UPS 2-1,・・・,2-n同士は、UPS間電力供給用ラインによって接続されていると共に、UPS間制御信号ラインによって接続されている。【０００８】
自己のバッテリ容量が十分残っているUPS2-1がバッテリ容量不足の他のUPS2-nへバッテリ電力を供給する場合について説明する。この場合、UPS2-1の電力伝送制御部(不図示)は、自己のバッテリ電力をUPS間電力供給用ラインに供給する。この際、他のUPS 2-2,・・・,2-nのうち、UPS 2-n側の電力伝送制御部(不図示)は、UPS間電力供給用ライン上の電力を取り込み可能な状態にセットされ、他のUPS 2-2,・・・,2-n-1などは、UPS間電力供給用ライン上の電力を取り込み不可能な状態にセットされている。この状態においては、UPS 2-1からのバッテリ電力は、UPS 2-nのみに供給されることになる。【０００９】
しかしながら、バッテリ容量が十分残っているバッテリと残量が少ないバッテリとで電力を融通すると、停電発生時などに外部機器に十分な電力を供給できなくなるという課題があった。
【特許文献１】特開２００９−１４０５０７号公報（図１３）
【発明の開示】
【００１０】
本発明の目的は、外部機器にバッテリ電力を供給する無停電電源装置において、充電されたバッテリの電力を十分に活用することができる無停電電源装置および該装置の制御方法を提供することにある。
【００１１】
上記目的を達成するために本発明の一態様は、複数のバッテリユニットを停電待機系と停電予備系とで構成することで、商用電源に停電が発生した場合でも、停電待機系のバッテリユニットの電力を外部機器に出力して必要なバックアップ時間を確保するよう構成している。
【００１２】
また上記目的を達成するために本発明の他の態様は、停電予備系バッテリをバックアップ系のバッテリユニットに切替えることで、パワーアシストするバッテリを停電予備系に限った運用をしても停電予備系バッテリの寿命を延ばすよう構成している。
【００１３】
このように本発明は無停電電源装置に内蔵されるバッテリユニットを停電待機系および停電予備系で構成することで、商用電源に停電が発生した場合でも、常に外部機器に対する必要な電力バックアップ時間(例．180秒)を確保することができる。
【００１４】
また本発明は停電予備系バッテリをバックアップ系のバッテリユニットに切替えることで、パワーアシストするバッテリを停電予備系に限った運用をしても停電予備系バッテリの寿命を延ばすことが可能となる。
【００１５】
また本発明はバッテリユニットのバックアップ累積時間を基に停電予備系と停電待機系とを切替えことで、個々のバッテリユニットのバッテリ寿命を均等化することができる。
【００１６】
また本発明は運用時のピーク時にバッテリからの電力を外部機器に出力するとともに電力需給に余裕のある夜間にバッテリを充電することで、電源ユニットに要求される電力需要を低く抑えることができる。
【図面の簡単な説明】
【００１７】
【図１】特許文献１に開示されている従来の無停電電源装置の構成を示す図である。
【図２】本発明の実施形態に係る無停電電源装置の構成例（その１）を示すブロック図である。
【図３】本発明の実施形態に係る無停電電源装置が電力のピークカットを行う場合の模式例を示す図である。
【図４】本発明の実施形態に係る無停電電源装置におけるパワーアシスト設定画面例を示す図である。
【図５】本発明の実施形態に係る無停電電源装置の構成例（その２）を示すブロック図である。
【図６】本発明の実施形態に係るパワーアシストするバッテリユニットの選択例を示す図である。
【図７】本発明の実施形態に係るパワーアシストするバッテリユニットの選択処理フローを示す図である。
【発明を実施するための最良の形態】
【００１８】
以下、本発明の実施の形態を、図面を参照しながら説明する。
［実施例１］
図２は、本発明の実施形態に係る無停電電源装置の構成例（その１）を示すブロック図である。【００１９】
図２において本発明の実施形態に係る無停電電源装置10は、複数の電源ユニット（例．３つの電源ユニット１〜３）11〜13、複数のバッテリユニット（例．５つのバッテリユニット１〜５）14〜18、及び、１つの情報統合管理ユニット19から構成されている。【００２０】
ここで、電源ユニット(稼働系)11,12は、通常時、商用電源1の電力を外部機器20へ出力する。【００２１】
電源ユニット(待機系)13は、電源ユニット（稼働系）11,12のいずれかの障害発生時、電源ユニット(稼働系)として動作する。【００２２】
電源ユニット(稼働系)11,12は、バッテリユニット（例．バッテリユニット１〜５）14〜18の充電を行う。【００２３】
また電源ユニット(待機系)13は、電源ユニット（稼働系）11,12のいずれかが故障した時は、故障した電源ユニットに代わり、正常な電源ユニットと一緒にバッテリユニット14〜18の充電を行う。【００２４】
バッテリユニット(停電待機系)15〜18は、停電発生時に外部機器20へ電力を出力するバッテリユニットとして動作する。【００２５】
バッテリユニット（停電予備系）14は、電源ユニット(待機系)13の障害発生時、電源ユニット(待機系)として動作する。【００２６】
またバッテリユニット（停電予備系）14は、無停電電源装置10が電力のピークカットを実施するように設定されている場合には、ピークカット時にパワーアシストを行う。【００２７】
情報統合管理ユニット19は、外部に設けられたパソコン(管理端末)30に接続され、パソコン30からの各種設定により電源ユニット11〜13及びバッテリユニット14〜18の制御を行う。【００２８】
またパソコン(管理端末)30は、情報統合管理ユニット19を制御してパワーアシストする時間帯及び電力値を設定する。【００２９】
情報統合管理ユニット19は、パソコン(管理端末)30によって設定された時間帯になると、バッテリユニット（停電予備系）14のバッテリを用いてパワーアシストを行う。【００３０】
なお、図２に示す情報統合管理ユニット19は、当業者に周知の情報処理装置によって実現されている。【００３１】
例えば、情報処理装置は、そのハードウェア資源として、ＣＰＵ（Central Processing Unit：中央処理装置）、記憶装置(ＲＯＭ，ＲＡＭ，ＨＤＤを含む)、入出力装置(通信インタフェース，ディスプレイ，プリンタ，マウス，キーボードなどを含む)などを備えて構成されている。【００３２】
通常、ＣＰＵは装置全体を制御する機能を有し、記憶装置(ＲＯＭ，ＲＡＭ，ＨＤＤを含む)はデータやプログラムを記憶する機能を有し、入出力装置は、データを入力したり、データを出力したり、外部装置との間でデータ通信を行ったりする機能を有している。【００３３】
機能を実現するに当たっては、上記した記憶装置に格納されたプログラムを上記したＣＰＵが適宜読み出して実行することで機能が実現される。【００３４】
ここで本発明の実施形態に係る無停電電源装置が実施するパワーアシストの例を、以下の（１）、（２）について説明する。
(１)パワーアシストするバッテリユニットを停電待機系・停電予備系で対応した場合
情報統合管理ユニット19が、バッテリユニット14〜18を停電待機系・停電予備系で構成するように設定されていた場合、商用電源１の停電発生時には、停電待機系15〜18のバッテリを使用して外部機器20に対する必要なバックアップ時間(例．180秒)を確保する。【００３５】
さらに、停電予備系のバッテリユニットを、停電発生時に電源ユニット(待機系)３に代わる停電稼動系のバッテリユニットに切替えることで、バックアップ時間の延長を行うことが可能である。
(２)パワーアシストするバッテリユニットを停電予備系のみで対応した場合
情報統合管理ユニット19が、停電予備系バッテリユニットのみでパワーアシストする設定にされていた場合(図示例における停電予備系のバッテリユニットはバッテリユニット14)、停電予備系バッテリユニットの寿命が短くなる虞がある。【００３６】
それを回避するために、情報統合管理ユニット19は、ユニット19内の記憶装置(図７のテーブルD1参照)に各バッテリのバックアップ累積時間を記憶しておき、情報統合管理ユニット19がユニット19内の記憶装置に記憶された各バッテリユニットのバックアップ累積時間を読み出し、各バッテリユニットのバックアップ累積時間が少ないバッテリユニットのバッテリをパワーアシストするバッテリに選んだうえで、選んだバッテリのバッテリユニットをパワーアシストする停電予備系のバッテリユニットに切替えることで、各バッテリユニットのバッテリ寿命を均等にする。【００３７】
図３は、本発明の実施形態に係る電源ユニットが電力のピークカットを行う場合の模式例を示す図である。【００３８】
図２および図３において、本発明の実施形態に係る電源ユニット(稼働系)11,12は、電力需給に余裕のある夜間にバッテリへの充電を行い、電力需給のピーク時に上記夜間に充電されたバッテリを使用してパワーアシストを行うことで電源ユニット(稼働系)11,12に要求される電力需要を低く抑える。【００３９】
これを具体的に説明すると、図２及び図３に示すように、本発明の電源ユニット(稼働系)11,12は、電力需給に余裕のある夜間（例えば23時〜翌朝6時）の間にバッテリ14〜18を充電し、電力需給のピーク時（例えば12時〜15時）に充電されたバッテリ14〜18を使用してパワーアシストを行うことで、電源ユニット(稼働系)11,12に要求される電力需要を低く抑える。【００４０】
電源ユニット(稼働系)11,12に要求される電力需要を低く抑えることは、電力料金の削減効果に加えて、ＣＯ２排出量を減らす効果がある。【００４１】
図４は、本発明の実施形態に係る無停電電源装置におけるパワーアシスト設定画面例を示す図である。【００４２】
図４のパワーアシスト設定画面は、無停電電源装置10に接続されたパソコン(管理端末)30の画面上に表示される設定入力画面であって、パワーアシスト開始時間（例．12:00）、パワーアシスト終了時間（例．15:00）、パワーアシスト電力（例．700Ｗ）、および、バッテリ充電開始時間（例．0:00）、をパソコン(管理端末)30から入力し、設定ボタン(画面右下)を操作することでパワーアシストの設定を行うものである。【００４３】
パワーアシスト設定画面上の設定情報（パワーアシスト開始時間、パワーアシスト終了時間、アシスト電力、および、バッテリ充電開始時間）は、ネットワーク経由で、情報統合管理ユニット19に送信され、情報統合管理ユニット19の記憶装置(不図示)内に設定される。【００４４】
情報統合管理ユニット19は、パワーアシスト開始時間（例．12:00）になると、設定されている情報に基づいてバッテリユニット１（停電予備系）14からアシスト電力（例．700Ｗ）を出力するよう制御する。【００４５】
パワーアシスト終了時間（例．15:00）になった場合、情報統合管理ユニット19は、バッテリユニット１（停電予備系）14からパワーアシスト電力（例．700Ｗ）の供給を停止するよう制御する。【００４６】
バッテリ充電開始時間（例．0:00）なった場合、情報統合管理ユニット19は、設定されている情報に基づいてバッテリユニット１（停電予備系）14等への充電を開始するよう制御する。
［実施例２］
図５は、本発明の実施形態に係る無停電電源装置の構成例（その２）を示すブロック図である。【００４７】
図５に示す無停電電源装置の構成例（その２）が上記した図２に示す無停電電源装置の構成例（その１）と異なる点は、バッテリユニット（例．バッテリユニット１〜５）14〜18のバッテリ寿命を均等化するために、停電発生時に、停電予備系と停電待機系とを切替えて使用することにより、バッテリユニット14〜18のバッテリ寿命を切替え使用しない場合に較べて延長可能にするものである。【００４８】
具体的には、図５において、商用電源１側に停電が発生(図示例では停電の発現を×印にて表示)した場合、停電予備系となっているバッテリユニット（図示例では、バッテリユニット１）を停電待機のバックアップ系のバッテリユニット15〜18のいずれかに切替えることにより、バックアップ時間の延長が可能となる。【００４９】
図示例では、停電予備系がバッテリユニット１になっているが、各バッテリユニットのバックアップ累積時間を基にしてパワーアシストするバッテリを、例えばバッテリユニット１からバッテリユニット２などに切替えることで、各バッテリユニットのバッテリ寿命の均等化を図ることが可能となる。【００５０】
図６は、本発明の実施形態に係るパワーアシストするバッテリユニットの選択例を示す図であって、1日当たり5時間のパワーアシストを行ったときの例を示すものである。【００５１】
図６において、スラッシュによって切り分けられた上段の数字は月日を表し、表中の［・・・h］は、パワーアシスト累積時間に基づいてパワーアシストするバッテリユニットを選択した例を示している。図６について具体的に説明すると、
（１）9月22日においては、バッテリユニット1の累積時間が最小のため、バッテリユニット1を選択したものである。
（２）9月23日においては、バッテリユニット1の累積時間が最小且つ他の同じ累積時間のものと比較してユニット番号が若番のため、バッテリユニット1を選択したものである。
（３）9月24日においては、バッテリユニット2の累積時間が最小且つ他の同じ累積時間のものと比較してユニット番号が若番のため、バッテリユニット2を選択したものである。
（４）9月25日においては、バッテリユニット3の累積時間が最小のため、バッテリユニット3を選択したものである。
（５）9月26日においては、バッテリユニット5の累積時間が最小のため、バッテリユニット5を選択したものである。
（６）9月27日においては、バッテリユニット1の累積時間が最小且つ他の同じ累積時間のものと比較してユニット番号が若番のため、バッテリユニット1を選択したものである。【００５２】
図７は、本発明の実施形態に係るパワーアシストするバッテリユニットの選択処理フローを示す図である。【００５３】
図７の選択処理フローにおいて、情報統合管理ユニット19は、各バッテリユニットのパワーアシスト累積時間をユニット19内の記憶装置(不図示)(具体的には、図７の右上部のテーブルD1のレコード)に記憶する。この例では、バッテリユニットが５基用意されている例を示しているが、この例のみに限定されない。【００５４】
パワーアシスト開始時間になったとき、情報統合管理ユニット19は、テーブルD1からバッテリユニット番号１のレコードに記憶されているパワーアシスト累積時間を取り出すとともにユニット19内の記憶装置(不図示)内に設けられる累積時間最小値記憶部D2のレコード(具体的には、図７の右部中段参照)にユニット番号とパワーアシスト累積時間を記憶する(ステップS1及びテーブルD2)。【００５５】
情報統合管理ユニット19は、他のバッテリユニット番号について、上記バッテリユニット番号１に対したと同様のループ処理を行い、他のバッテリユニット番号すべてのループ処理を終了したかを判定する（ステップS2）。【００５６】
情報統合管理ユニット19は、他のバッテリユニット番号すべてのループ処理を終了していなければ（ステップS2=NO）、該当するバッテリユニット番号のパワーアシスト累積時間を図７の右上部のテーブルD1のレコードから取り出す（ステップS3）。【００５７】
そして情報統合管理ユニット19は、上記ステップS1で実行した累積時間最小値記憶部D2に記憶されているパワーアシスト累積時間と比較し、累積時間最小値記憶部D2のレコードに記憶されている値より小さい場合（ステップS4=YES）には、ユニット番号とパワーアシスト累積時間を記憶部D2のレコードに記憶して更新する。【００５８】
これに対して、累積時間最小値記憶部D2のレコードに記憶されているパワーアシスト累積時間より大きい場合（ステップS4=NO）には、ステップS2に戻る。【００５９】
情報統合管理ユニット19は、ステップS2における他のバッテリユニット番号すべてのループ処理を終了した場合（ステップS2=YES）には、累積時間最小値記憶部D2に記憶されているユニット番号を取り出す(ステップS6)。【００６０】
情報統合管理ユニット19は、こうして取り出されたユニット番号のバッテリユニットをパワーアシストするバッテリユニットとして選択する。
【産業上の利用可能性】
【００６１】
本発明は、商用電源を電力源とするUPS(無停電電源装置）に限定されず、商用電源を電力源としない他の電源装置に対しても適用することが可能である。
【図１】
2016189976.tif 000003
【図２】
2016189976.tif 000004
【図３】
2016189976.tif 000005
【図４】
2016189976.tif 000006
【図５】
2016189976.tif 000007
【図６】
2016189976.tif 000008
【図７】
2016189976.tif 000009
【国際調査報告】
2016189976.tif 000010
2016189976.tif 000011
2016189976.tif 000012
2016189976.tif 000013